(57)【要約】      （修正有）【課題】簡単な構成で篩ったり、こしたりした対象物が容器の外側にこぼれるのを防止でき、篩またはこし器のサイズと容器のサイズが合致していなくても使用できるこぼれ防止補助具を提供する。【解決手段】略方形のシート部材２１の上部を篩兼用こし器本体１０の胴部１１に密着させながらスカート状に巻き付け、シート部材２１の上部の表裏に設けられたメス側面ファスナーにオス側面ファスナーを押し付けて装着する。シート部材２１の下部は胴部１１から下方に垂らす。ボウル３０の中にシート部材２１の裾２３をすぼめて入れ、この状態で網目部１２に小麦粉４０を入れて胴部１１を持って横に振る。網目部１２を通った小麦粉４０は大部分が直接、ボウル３０の中に落ち、斜めに飛んだ一部の小麦粉４０はシート部材２１に当たってボウル３０の中に入る。【選択図】図３
0003180266.tif 000002
【実用新案登録請求の範囲】
【請求項１】
網目器具の胴部に上部を巻き付け、裾を胴部下方に垂らすことが可能な大きさに形成された可撓性を有する略方形のシート部材と、
該シート部材の上部を網目器具の胴部に巻き付けた状態で着脱自在に固定する固定部材と、
を備えたことを特徴とする網目器具の補助具。
【請求項２】
シート部材は表面が滑らかなプラスチック部材からなること、
を特徴とする請求項１記載の網目器具の補助具。
【請求項３】
シート部材の下部に縦方向の切り込みを横に並べて複数個設けたこと、
を特徴とする請求項１または２記載の網目器具の補助具。
【請求項４】
固定部材はシート部材の表面側と裏面側に設けられた面ファスナーとしたこと、を特徴とする請求項１または２または３記載の網目器具の補助具。
【請求項５】
一端面側に網目部が設けられた胴部を有する網目器具本体と、
網目器具本体の胴部に上部が巻き付けられて、裾が胴部下方に垂らされた可撓性を有するシート部材と、
該シート部材の上部を胴部に巻き付けた状態で着脱自在に固定する固定部材と、
を備えたことを特徴とする網目器具。
【請求項６】
シート部材は表面が滑らかなプラスチック部材からなること、
を特徴とする請求項５記載の網目器具。
【請求項７】
シート部材の下部に縦方向の切り込みを横に並べて複数個設けたこと、
を特徴とする請求項５または６記載の網目器具。
【請求項８】
固定部材はシート部材の表面側と裏面側に設けられた面ファスナーとしたこと、を特徴とする請求項５または６または７記載の網目器具。
【考案の詳細な説明】
【技術分野】
【０００１】
本考案は網目器具の補助具、網目器具に係り、とくに篩またはこし器または篩兼用こし器の網目器具で篩ったり、裏ごししたりする対象物が外に落ちるのを防止できるようにした網目器具の補助具、網目器具に関する。
【背景技術】
【０００２】
小麦粉や米粉を篩ったり、裏ごししたりしてダマを取り、細かいパウダー状にしたり、サツマイモやクリを裏ごしして繊維質を切り、滑らかな触感にしたりするために篩やこし器が利用されている。ここで、小麦粉を篩う場合、小麦粉を入れた篩をボウルの上方で横に振るが、粉の一部が周囲に飛散してボウルの外にこぼれ落ちてしまうことが多かった。また、小麦粉を裏ごしする場合、小麦粉を入れたこし器をボウルの上に載せ、ヘラで小麦粉をこし器の網目にこすりつけてダマを潰しながらボウルに落とすが、こし器の縁近くでこし落とされた小麦粉がボウルの外側に落ちてしまうことが多かった。
後者の問題を解決するために、従来、ボウル上端の周縁に段部を設け、こし器の胴部下端の周縁が載るようにした考案が提案されている（特許文献１参照）。
しかしながら、この従来技術では、特殊形状のボウルが必要であり、市販の一般的なボウルを使用できないとともに、こし器のサイズがボウルと合致していなければならない欠点があった。
【先行技術文献】
【特許文献】
【０００３】
【特許文献１】登録実用新案第３０５８７５０号公報
【考案の概要】
【考案が解決しようとする課題】
【０００４】
本考案は上記した従来技術の問題に鑑みなされたもので、簡単な構成で篩ったり、裏ごししたりする対象物が容器の外側にこぼれるのを防止でき、また、一般に市販されている容器を使用できるとともに、網目器具のサイズと容器のサイズが合致していなくても使用できる網目器具の補助具、網目器具を提供することを、その目的とする。
【課題を解決するための手段】
【０００５】
本考案の請求項１記載の網目器具の補助具では、網目器具の胴部に上部を巻き付け、裾を胴部下方に垂らすことが可能な大きさに形成された可撓性を有する略方形のシート部材と、該シート部材の上部を網目器具の胴部に巻き付けた状態で着脱自在に固定する固定部材と、を備えたことを特徴としている。
本考案の請求項２記載の補助具では、シート部材は表面が滑らかなプラスチック部材からなること、を特徴としている。
本考案の請求項３記載の補助具では、シート部材の下部に縦方向の切り込みを横に並べて複数個設けたこと、を特徴としている。
本考案の請求項４記載の補助具では、固定部材はシート部材の表面側と裏面側に設けられた面ファスナーとしたこと、を特徴としている。
本考案の請求項５記載の網目器具では、網目部が設けられた胴部を有する網目器具本体と、網目器具本体の胴部に上部が巻き付けられて、裾が胴部下方に垂らされた可撓性を有するシート部材と、該シート部材の上部を胴部に巻き付けた状態で着脱自在に固定する固定部材と、を備えたことを特徴としている。
本考案の請求項６記載の網目器具では、シート部材は表面が滑らかなプラスチック部材からなること、を特徴としている。
本考案の請求項７記載の網目器具では、シート部材の下部に縦方向の切り込みを横に並べて複数個設けたこと、を特徴としている。
本考案の請求項８記載の網目器具では、固定部材はシート部材の表面側と裏面側に設けられた面ファスナーとしたこと、を特徴としている。
【考案の効果】
【０００６】
本考案によれば、篩またはこし器または篩兼用こし器の網目器具の胴部に固定部材を用いてシート部材の上部を巻き付けた状態で固定し、シート部材の裾を容器の中に入れることにより、篩ったり、裏ごししたりする対象物が容器の外側にこぼれるのを防止でき、構成が簡単で済む。また、一般に市販されている容器を使用できるとともに、網目器具のサイズと容器のサイズが合致していなくても使用できる。
【図面の簡単な説明】
【０００７】
【図１】本考案の一実施例に係るこぼれ防止補助具付きの篩兼用こし器の斜視図である（実施例１）。
【図２】図１のこぼれ防止補助具付きの篩兼用こし器の組み立て方法の説明図である。
【図３】図１のこぼれ防止補助具付きの篩兼用こし器の使用方法の説明図である。
【図４】図１のこぼれ防止補助具付きの篩兼用こし器の使用方法の説明図である。
【図５】図１のこぼれ防止補助具付きの篩兼用こし器の使用方法の説明図である。
【図６】図１のこぼれ防止補助具付きの篩兼用こし器の使用方法の説明図である。
【図７】図１のこぼれ防止補助具付きの篩兼用こし器の使用方法の説明図である。
【図８】図１のこぼれ防止補助具の固定部材の変形例を示す斜視図である。
【図９】図１のこぼれ防止補助具の固定部材の他の変形例を示す斜視図である。
【図１０】図１のこぼれ防止補助具の固定部材の更に他の変形例を示す斜視図である。
【図１１】図１のこぼれ防止補助具のシート部材の変形例を示す正面図である。
【考案を実施するための最良の形態】
【０００８】
以下、本考案の最良の形態を実施例に基づき説明する。
【実施例１】
【０００９】
図１を参照して本考案の一実施例を説明する。図１は本考案に係るこぼれ防止補助具付きの篩兼用こし器の外観斜視図である。
図１において、１はこぼれ防止補助具付きの篩兼用こし器であり、この内、１０は全体がステンレス製の篩兼用こし器本体（以下、「本体」という）であり、円筒状の胴部１１の下面に網目部１２が設けられている。この本体１０は、市販の通常の篩兼用こし器と同じものである。２０はこぼれ防止補助具であり、胴部１１にスカート状に巻き付けられた可撓性を有し、表面が滑らかなプラスチック製のシート部材２１と、シート部材２１を本体１０の胴部１１に巻き付けた状態で着脱自在に固定する固定部材としての面ファスナー２２から成る。シート部材２１は展開状態で見て略方形に形成されており、上部を本体１０の胴部１１に巻き付けたとき下部の裾２３が胴部１１から下方に垂れる大きさに形成されている。シート部材２１にはビニール樹脂シート、シリコン樹脂シート、ポリエチレンテレフタレートシート、ＥＭＡ（エチレンメチルアクリル）シート、ＰＰ（ポリプロビレン）不織布シートなどの種々の素材を利用でき、表面を抗菌・撥水加工しても良い。面ファスナー２２はオス側面ファスナー２２Ａとメス側面ファスナー２２Ｂから成り、オス側面ファスナー２２Ａはシート部材２１の上部の右端部の裏面側の長方形状の領域に装着されており、メス側面ファスナー２２Ｂはシート部材２１の上部の左端部の表面側の長方形状の領域に装着されている（図２参照）。
【００１０】
図２はこぼれ防止補助具付きの篩兼用こし器の組み立て方法の説明図である。
略方形のシート部材２１の上部を本体１０の胴部１１に密着させながらスカート状に巻き付け、メス側面ファスナー２２Ｂにオス側面ファスナー２２Ａを押し付けて装着する。この際、シート部材２１の下部が胴部１１から下方に垂れるように装着する。
【００１１】
図３ないし図７はこぼれ防止補助具付き篩兼用こし器の使用方法の説明図である。
（１）小麦粉を篩う場合
例えば、小麦粉を篩ってきめ細かくしたい場合、容器の一例としてのボウル３０を用意し（ボウル３０のサイズは本体１０より大きくても小さくても良い）、ボウル３０の中にこぼれ防止補助具２０のシート部材２１の裾２３をすぼめて入れる（図３（１）、（２）参照）。この状態で本体１０の網目部１２に小麦粉４０を入れ、胴部１１を持って横に振る（図３（２）参照）。網目部１２を通った小麦粉４０は大部分が直接ボウル３０の中に落ちる。斜めに飛んだ一部の小麦粉４０はボウル３０の外側にこぼれようとするが、こぼれ防止補助具２０のシート部材２１に当たってほぼ全てボウル３０の中に入る（図３（２）の符号４０ａ参照）。このため、篩い対象物である小麦粉４０がボウル３０の外側にこぼれ落ちるのが防止される。
シート部材２１は滑らかな表面を有しており、表面に小麦粉４０が付着し難くなっているが、若し、付着してもシート部材２１を外側から手で叩くことにより、簡単にボウル３０の中へ落とすことができる。
【００１２】
（２）小麦粉をヘラで裏ごしする場合
これと異なり、小麦粉をヘラで裏ごししてきめ細かくしたい場合、容器の一例としてのボウル３０を用意し（ボウル３０のサイズは本体１０より少し小さいものとする）、ボウル３０の中にこぼれ防止補助具２０の裾２３をすぼめて入れ、本体１０をボウル３０の上に載せる（図４（１）参照）。この状態で本体１０の網目部１２に小麦粉４０を入れ（図４（２）参照）、ヘラ５０でダマを潰しながら裏ごしする（図４（３）参照）。網目部１２を通った小麦粉４０は大部分が直接ボウル３０の中に落ちる。網目部１２の縁を通った小麦粉（図４（３）の符号４０ｂ参照）はボウル３０の外側にこぼれようとするが、こぼれ防止補助具２０のシート部材２１に当たってほぼ全てボウル３０の中に入る。このため、裏ごし対象物である小麦粉４０がボウル３０の外側にこぼれ落ちるのが防止される。
シート部材２１は滑らかな表面を有しており、表面に小麦粉４０が付着し難くなっているが、若し、付着してもシート部材２１を外側から手で叩くことにより、簡単にボウル３０の中へ落とすことができる。
小麦粉以外の米粉などを篩ったり、裏ごししたりする場合も全く同様にして、こぼれ防止ができる。
【００１３】
（３）蒸したサツマイモをヘラで裏ごしする場合
蒸したサツマイモを裏ごしして食感を滑らかにしたい場合、網目部１２を上面にした状態で図２と同様にして、こぼれ防止補助具２０を本体１０の胴部１１に巻き付け固定し、篩兼用こし器１Ａとする（図５（１）、（２）参照）。そして、容器の一例としてのボウル３０を用意し（ボウル３０のサイズは本体１０より少し小さいものにする）、ボウル３０の中にこぼれ防止補助具２０の裾２３をすぼめて入れ、本体１０をボウル３０の上に載せる（図６（１）、（２）参照）。この状態で網目部１２に蒸したサツマイモ４１を載せ、ヘラ５１で潰しながら裏ごしする（図７（１）、（２）参照）。網目部１２を通ったサツマイモ４１は大部分が直接ボウル３０の中に落ちる。網目部１２の縁の方に載っていたサツマイモ（図７（２）の符号４１ａ参照）はボウル３０の外側にこぼれようとするが、こぼれ防止補助具２０のシート部材２１に当たってボウル３０の中に入るか、シート部材２１に載る。このため、裏ごしの対象物であるサツマイモ４１がボウル３０の外側にこぼれ落ちるのが防止される。
シート部材２１は滑らかな表面を有しており、表面にサツマイモ４１が付着し難くなっているが、若し、付着してもシート部材２１を外側から手で叩くことにより、簡単にボウル３０の中へ落とすことができる。
【００１４】
この実施例によれば、面ファスナー付のシート部材２１から成るこぼれ防止補助具２０が胴部１１にスカート状に巻き付けられた篩兼用こし器１を用いて、こぼれ防止補助具２０のシート部材２１の裾２４をすぼめてボウル３０の中に入れた状態で小麦粉等の対象物を篩ったり、裏ごししたりすることにより、対象物がボウル３０の外側にこぼれるのを簡単な構成で防止できる。
また、こぼれ防止補助具２０のシート部材２１の表面が滑らかなので、対象物が付着しても手で叩くことで簡単に落とすことが出来る。
また、こぼれ防止補助具２０は面ファスナー２２により本体１０に固定するので、１つのサイズのこぼれ防止補助具２０で種々のサイズの本体１０に取り付ることができ、着脱もワンタッチで行なえる。
また、対象物を収容する容器も一般に市販されているボウル３０を使用できるとともに、本体１０のサイズとボウル３０のサイズが合致していなくても使用できる。
【００１５】
なお、上記した実施例では、網目器具として篩兼用こし器を例に挙げたが、こし器専用器具や篩専用器具にも全く同様に適用することができ、こし器専用器具に適用する場合は、図１の篩兼用こし器本体をこし器本体（即ち、通常のこし器）に置き換えればよく、篩専用器具に適用する場合も、図１の篩兼用こし器本体を篩本体（即ち、通常の篩）に置き換えればよい。
また、篩兼用こし器本体はステンレス製以外の材質で形成されていても良く、シート部材もプラスチック素材に限定されず布素材や紙素材であっても良い。
また、胴部にシート部材を固定するための固定部材を面ファスナーとしたが、図８のこぼれ防止補助具２０Ａの如く、ゴムバンド６０でシート部材２１を胴部１１に着脱自在に固定するようにしたり、図９のこぼれ防止補助具２０Ｂの如く、粘着テープ７０でシート部材２１を胴部１１に着脱自在に固定するようにしたり、図１０のこぼれ防止補助具２０Ｃの如く、複数個のクリップ８０で胴部１１とシート部材２１を挟持するようにして着脱自在に固定するようにしても良い。
また、図１１（１）、（２）に示す如く、シート部材２１の下部に、横に並べて複数の溝状の切り込み部９０または三角状の切り込み部９１を設けることにより、シート部材２１の下部をより簡単にすぼめられるようにしても良い。
【産業上の利用可能性】
【００１６】
本考案は、料理用、建築用、園芸用などの各種用途の篩、こし器、篩兼用こし器に適用できる。
【符号の説明】
【００１７】
１、１Ａ  篩兼用こし器
１０  篩兼用こし器本体
１１  胴部
１２  網目部
２０、２０Ａ、２０Ｂ、２０Ｃ  こぼれ防止補助具
２１  シート部材
２２  面ファスナー
２２Ａ  オス側面ファスナー
２２Ｂ  メス側面ファスナー
２３  裾
３０  ボウル
４０、４０ａ、４０ｂ  小麦粉
４１、４１ａ  サツマイモ
５０、５１  ヘラ
６０  ゴムバンド
７０  粘着テープ
８０  クリップ
９０、９１  切り込み
【図１】
0003180266.tif 000003
【図２】
0003180266.tif 000004
【図３】
0003180266.tif 000005
【図４】
0003180266.tif 000006
【図５】
0003180266.tif 000007
【図６】
0003180266.tif 000008
【図７】
0003180266.tif 000009
【図８】
0003180266.tif 000010
【図９】
0003180266.tif 000011
【図１０】
0003180266.tif 000012
【図１１】
0003180266.tif 000013